(57)【特許請求の範囲】
【請求項１】
現在のエンジンの運転状態において算出される実ＥＧＲ率と、現在のエンジンの運転状態に基づいて決定された目標ＥＧＲ率との偏差の絶対値を求め、ＥＧＲバルブ開度のフィードバック補正量を該フィードバック補正量の上限値で除算して得た商をゲインとして前記偏差の絶対値に乗算し、これにより得られた積が「０」に近い場合を正常とし且つ前記積が「０」から遠ざかるほど異常の程度が高いものと判定することを特徴とする排気ガス再循環量の異常検出方法。
【請求項２】
吸気マニホールド内の温度と圧力とエンジンの回転数とに基づいて単位時間当たりに各気筒が吸い込み得る作動ガス量を算出すると共に、同じ単位時間当たりに吸気管を流れる新気量を実測し、該新気量を前記作動ガス量から減算して排気ガスの再循環量を求め、該再循環量を前記作動ガス量で除算して実ＥＧＲ率を求めることを特徴とする請求項１に記載の排気ガス再循環量の異常検出方法。
【請求項３】
吸気マニホールド内の温度を検出する温度センサと、吸気マニホールド内の圧力を検出する圧力センサと、吸気管を流れる新気量を検出する吸気センサと、エンジンの回転数を検出する回転センサと、エンジンの負荷を検出する負荷センサと、これら各種センサから検出信号を入力して排気ガスの再循環量の異常を判定する制御装置とを備え、
該制御装置が、吸気マニホールド内の吸気の温度と圧力とエンジンの回転数とに基づいて単位時間当たりに各気筒が吸い込み得る作動ガス量を算出すると共に、同じ単位時間当たりに吸気管を流れる新気量を前記作動ガス量から減算して排気ガスの再循環量を求め、該再循環量を前記作動ガス量で除算して得た実ＥＧＲ率と、現在のエンジンの回転数及び負荷に基づいて決定された目標ＥＧＲ率との偏差の絶対値を求め、ＥＧＲバルブ開度のフィードバック補正量を該フィードバック補正量の上限値で除算して得た商をゲインとして前記偏差の絶対値に乗算し、これにより得られた積が「０」に近い場合を正常とし且つ前記積が「０」から遠ざかるほど異常の程度が高いものと判定するように構成されていることを特徴とする排気ガス再循環量の異常検出装置。
【発明の詳細な説明】
【技術分野】
【０００１】
本発明は、自動車のエンジン等における排気ガス再循環量の異常検出方法及び装置に関するものである。
【背景技術】
【０００２】
従来より、自動車のエンジン等では、排気側から排気ガスの一部を抜き出して吸気側へと戻し、その吸気側に戻された排気ガスでエンジン内での燃料の燃焼を抑制させて燃焼温度を下げることによりＮＯxの発生を低減するようにした、いわゆる排気ガス再循環（ＥＧＲ：Exhaust Gas Recirculation）が行われている。
【０００３】
一般的に、この種の排気ガス再循環を行う場合には、排気マニホールドから排気管に亘る排気通路の適宜位置と、吸気管から吸気マニホールドに亘る吸気通路の適宜位置との間をＥＧＲパイプにより接続し、該ＥＧＲパイプを通して排気ガスを再循環するようにしている。
【０００４】
尚、エンジンに再循環する排気ガスをＥＧＲパイプの途中で冷却すると、排気ガスの温度が下がり且つその容積が小さくなることにより、エンジンの出力を余り低下させずに燃焼温度を低下して効果的に窒素酸化物の発生を低減させることができるため、ＥＧＲパイプの途中には水冷式のＥＧＲクーラが装備されている。
【０００５】
例えば、この種のＥＧＲクーラでは、熱交換用のチューブが、排気ガス中に含まれる煤分の堆積により詰まりを生じる懸念があり、このような詰まりが生じた場合には、意図した量の排気ガスの再循環が実施できなくなって目標ＥＧＲ率が達成できなくなる虞れがあるため、目標ＥＧＲ率を達成できない異常な事態を何らかの手段を講じて検出する必要がある。
【０００６】
尚、本発明に関連する先行技術文献情報としては下記の特許文献１等がある。
【先行技術文献】
【特許文献】
【０００７】
【特許文献１】特開２００３−１６１２０７号公報
【発明の概要】
【発明が解決しようとする課題】
【０００８】
しかしながら、近年における自動車のエンジンでは、燃費を改善する手法として、ダウンサイジングと高Ｐｍｅ化（高平均有効圧力化）が進められており、高温高圧条件に耐えて排気ガスの再循環量を直接検出し得るようなセンサの開発は極めて難しく、仮に可能であるとしても大幅なコスト増が避けられないという問題があった。
【０００９】
本発明は上述の実情に鑑みてなしたもので、排気ガスの再循環量を直接検出する特別なセンサを新たに追加することなく、排気ガスの再循環量の異常を高い確度で検出し得るようにすることを目的とする。
【課題を解決するための手段】
【００１０】
本発明は、現在のエンジンの運転状態において算出される実ＥＧＲ率と、現在のエンジンの運転状態に基づいて決定された目標ＥＧＲ率との偏差の絶対値を求め、ＥＧＲバルブ開度のフィードバック補正量を該フィードバック補正量の上限値で除算して得た商をゲインとして前記偏差の絶対値に乗算し、これにより得られた積が「０」に近い場合を正常とし且つ前記積が「０」から遠ざかるほど異常の程度が高いものと判定することを特徴とする排気ガス再循環量の異常検出方法、に係るものである。
【００１１】
而して、このようにすれば、排気ガスの再循環量を直接検出できるような特別なセンサを新たに追加しなくても、既に現状のエンジン制御に用いられている各種情報に基づいて実ＥＧＲ率と目標ＥＧＲ率との偏差の絶対値を求めることにより、目標ＥＧＲ率に対し実ＥＧＲ率が乖離している度合を把握することが可能となる。
【００１２】
例えば、実ＥＧＲ率を算出するにあたっては、吸気マニホールド内の温度と圧力とエンジンの回転数とに基づいて単位時間当たりに各気筒が吸い込み得る作動ガス量を算出すると共に、同じ単位時間当たりに吸気管を流れる新気量を実測し、該新気量を前記作動ガス量から減算して排気ガスの再循環量を求め、該再循環量を前記作動ガス量で除算して実ＥＧＲ率を求めることが可能である。
【００１３】
また、目標ＥＧＲ率を決定するにあたっては、現在のエンジンの回転数及び負荷に基づき、制御テーブルから現在の運転状態に見合う目標ＥＧＲ率を読み出して決定することが可能である。
【００１４】
そして、実ＥＧＲ率と目標ＥＧＲ率との偏差の絶対値を求めた結果、目標ＥＧＲ率に対し実ＥＧＲ率が大きく乖離していれば、ＥＧＲクーラの熱交換用のチューブに詰まりが生じる等して、意図した量の排気ガスの再循環が実施できなくなっているものと判断することが可能となる。
【００１５】
ただし、高地等の空気密度の低い環境下でエンジンを使用するにあたっては、良好な燃焼を確保するのに必要な新気が量的に不足（質量から見た新気の充填効率が低下）する虞れがあることから、必要な量の新気を確保し得るよう高度（高度計等により実測）に応じて目標ＥＧＲ率を下げる措置が採られるため、ＥＧＲクーラの熱交換用のチューブに詰まりが生じる等して低下した異常時の実ＥＧＲ率に対し、高度に応じて下げた目標ＥＧＲ率が近づく結果、実ＥＧＲ率と目標ＥＧＲ率との偏差の絶対値が正常時と異常時とで顕著な差となって現れ難くなり、排気ガスの再循環量が正常であるか異常であるかの判別が難しくなる懸念がある。
【００１６】
そこで、ＥＧＲバルブ開度のフィードバック補正量を該フィードバック補正量の上限値で除算して得た商をゲインとして前記偏差の絶対値に乗算するようにすれば、その積が正常時と異常時とで顕著な差となって現れる新たな指標として得られ、排気ガスの再循環量が正常であるか異常であるかの判別が容易化されることになる。
【００１７】
即ち、ＥＧＲバルブ開度のフィードバック補正量を該フィードバック補正量の上限値で除算して得た商は、フィードバック制御をかけている度合を表す値となり、正常時にはフィードバック制御をかける必要がないことから前記商が「０」に近い値となる一方、異常の程度が著しい時にはフィードバック制御を上限近くまでかける必要があることから前記商が「１」に近い値となる。
【００１８】
依って、前記商を無次元化されたゲインとして前記偏差の絶対値に乗算すると、正常である場合に、その積が略「０」に収斂するのに対し、異常の程度が高い場合には、実ＥＧＲ率と目標ＥＧＲ率との偏差の絶対値と大きく変わらない値の積となるため、排気ガスの再循環量が正常であるか異常であるかの判別が行い易くなる。
【００１９】
また、本発明の方法を具体的に実施する装置としては、吸気マニホールド内の温度を検出する温度センサと、吸気マニホールド内の圧力を検出する圧力センサと、吸気管を流れる新気量を検出する吸気センサと、エンジンの回転数を検出する回転センサと、エンジンの負荷を検出する負荷センサと、これら各種センサから検出信号を入力して排気ガスの再循環量の異常を判定する制御装置とを備え、該制御装置が、吸気マニホールド内の吸気の温度と圧力とエンジンの回転数とに基づいて単位時間当たりに各気筒が吸い込み得る作動ガス量を算出すると共に、同じ単位時間当たりに吸気管を流れる新気量を前記作動ガス量から減算して排気ガスの再循環量を求め、該再循環量を前記作動ガス量で除算して得た実ＥＧＲ率と、現在のエンジンの回転数及び負荷に基づいて決定された目標ＥＧＲ率との偏差の絶対値を求め、ＥＧＲバルブ開度のフィードバック補正量を該フィードバック補正量の上限値で除算して得た商をゲインとして前記偏差の絶対値に乗算し、これにより得られた積が「０」に近い場合を正常とし且つ前記積が「０」から遠ざかるほど異常の程度が高いものと判定するように構成されていることが好ましい。
【発明の効果】
【００２０】
上記した本発明の排気ガス再循環量の異常検出方法及び装置によれば、排気ガスの再循環量を直接検出できるような特別なセンサを新たに追加することなく、既に現状のエンジン制御に用いられている各種情報に基づいて実ＥＧＲ率と目標ＥＧＲ率との偏差の絶対値を求め、ＥＧＲバルブ開度のフィードバック補正量を該フィードバック補正量の上限値で除算して得た商をゲインとして前記偏差の絶対値に乗算することにより、その積を正常時と異常時とで顕著な差となって現れる新たな指標として得ることができ、これにより排気ガスの再循環量が正常であるか異常であるかの判別を確実に行うことができるという優れた効果を奏し得る。
【図面の簡単な説明】
【００２１】
【図１】本発明を実施する形態の一例を示す概略図である。
【図２】図１の制御装置における具体的な制御の手法を示すフローチャートである。
【図３】本形態例の制御装置で算出される各種の値の具体例を示すグラフである。
【発明を実施するための形態】
【００２２】
以下本発明の実施の形態を図面を参照しつつ説明する。
【００２３】
図１は排気ガス再循環を行うためのＥＧＲ装置を搭載したエンジンの一例を示すもので、図１中における１はディーゼル機関であるエンジンを示し、該エンジン１は、ターボチャージャ２を備えており、図示しないエアクリーナから導いた吸気３を吸気管４を通し前記ターボチャージャ２のコンプレッサ２ａへ送り、該コンプレッサ２ａで加圧された吸気３をインタクーラ５へと送って冷却し、該インタクーラ５から更に吸気マニホールド６へと吸気３を導いてエンジン１の各気筒７（図１では直列６気筒の場合を例示している）に分配するようにしてある。
【００２４】
また、このエンジン１の各気筒７から排出された排気ガス８を排気マニホールド９を介し前記ターボチャージャ２のタービン２ｂへ送り、該タービン２ｂを駆動した排気ガス８を排気管１０を介し車外へ排出するようにしてある。
【００２５】
そして、排気マニホールド９における各気筒７の並び方向の一端部と、吸気マニホールド６に接続されている吸気管４の一端部との間がＥＧＲパイプ１１により接続されており、排気マニホールド９から排気ガス８の一部を抜き出して吸気管４に導き得るようにしてある。
【００２６】
ここで、前記ＥＧＲパイプ１１には、該ＥＧＲパイプ１１を適宜に開閉するＥＧＲバルブ１２と、再循環される排気ガス８を冷却するためのＥＧＲクーラ１３とが装備されており、該ＥＧＲクーラ１３では、図示しない冷却水と排気ガス８とを図示しない熱交換用のチューブを介して熱交換させることにより排気ガス８の温度を低下し得るようにしてある。
【００２７】
また、前記吸気マニホールド６に、該吸気マニホールド６内の温度を計測するための温度センサ１４と、圧力を検出するための圧力センサ１５とが備えられ、前記コンプレッサ２ａより上流の吸気管４には、該吸気管４を流れる新気量を検出する吸気センサ１６が備えられ、前記エンジン１の所要位置には、エンジン１の回転数を検出する回転センサ１７が備えられており、これら温度センサ１４，圧力センサ１５，吸気センサ１６，回転センサ１７の検出信号１４ａ，１５ａ，１６ａ，１７ａがエンジン制御コンピュータ（ＥＣＵ：Electronic Control Unit）を成す制御装置１８に対し入力されるようにしてある。
【００２８】
そして、前記制御装置１８においては、吸気マニホールド６内の温度と圧力とエンジン１の回転数とに基づき、単位時間当たりに各気筒７が吸い込み得る作動ガス量（質量流量）が算出される一方、同じ単位時間当たりに吸気管４を流れる新気量（質量流量）が前記作動ガス量から減算されて排気ガス８の再循環量が求められ、該再循環量を前記作動ガス量で除算することで実ＥＧＲ率が求められるようになっている。
【００２９】
即ち、各気筒７の容積は決まっているため、エンジン１の回転数が判れば、各気筒７が吸い込み得る作動ガスの単位時間当たりの体積流量が判り、これを質量流量に換算して吸気マニホールド６内の温度と圧力の補正をかければ作動ガス量（質量流量）が求められる。尚、一般的に、既存の吸気センサ１６には、温度センサが内蔵されていて新気の質量流量が出力されるようになっている。
【００３０】
また、この制御装置１８は、エンジン１における燃料噴射に関する制御も担うようになっていて、回転センサ１７からの検出信号１７ａだけでなく、アクセル開度をエンジン１の負荷として検出するアクセルセンサ１９（負荷センサ）からの検出信号１９ａも入力されるようになっており、エンジン１の回転数と負荷とに基づき、エンジン１の各気筒７に燃料を噴射する燃料噴射装置２０に向け制御信号２０ａが出力されるようになっている。
【００３１】
ここで、前記燃料噴射装置２０は、各気筒７毎に装備される図示しない複数のインジェクタにより構成されており、これら各インジェクタの電磁弁が前記制御信号２０ａにより開弁制御されて燃料の噴射タイミング及び噴射量が適切に制御されるようになっている。
【００３２】
また、この時の燃料噴射制御の噴射量の指示値をエンジン１の負荷として、この負荷と前記エンジン１の回転数とに基づき、制御テーブルから現在の運転状態に見合う目標ＥＧＲ率が読み出され、この目標ＥＧＲ率が達成されるよう前記ＥＧＲバルブ１２に開度を指示する制御信号１２ａが出力されるようになっているが、前述の実ＥＧＲ率を監視して目標ＥＧＲ率が達成されるよう前記ＥＧＲバルブ１２の開度についてフィードバック制御がかけられるようになっている。
【００３３】
そして、本形態例においては、前記制御装置１８が排気ガス８の再循環量の異常を判定する役割も果たすようになっており、この制御装置１８で行われる異常判定の具体的な手法は、図２のフローチャートに示す如きものとなる。
【００３４】
即ち、ステップＳ１において、吸気マニホールド６内の温度と圧力とエンジン１の回転数とに基づき、単位時間当たりに各気筒７が吸い込み得る作動ガス量が算出されると共に、同じ単位時間当たりに吸気管４を流れる新気量を前記作動ガス量から減算して排気ガス８の再循環量が求められ、該再循環量を前記作動ガス量で除算して実ＥＧＲ率が求められるようにしてある。
【００３５】
また、ステップＳ２においては、現在のエンジン１の回転数及び負荷（燃料噴射制御の噴射量の指示値）に基づいて目標ＥＧＲ率が求められるようになっており、次のステップＳ３において、先のステップＳ１で得られた実ＥＧＲ率と、先のステップＳ２で得られた目標ＥＧＲ率との偏差の絶対値が求められるようになっている。
【００３６】
更に、ステップＳ４では、前述したＥＧＲバルブ１２の開度に関するフィードバック制御で決定されたＥＧＲバルブ１２の開度のフィードバック補正量が、該フィードバック補正量の上限値で除算されて商が得られるようになっており、次のステップＳ５においては、先のステップＳ４で得られた商がゲインとして、先のステップＳ３で得られた偏差の絶対値に乗算され、これにより得られた積が排気ガス８の再循環量の異常を判定する指標として得られるようになっている。
【００３７】
そして、次のステップＳ６においては、先のステップＳ５で得られた積が「０」に近い場合にステップＳ７に進んで正常と判定し、前記積が「０」から離れている場合にステップＳ８に進んで異常と判定するようになっているが、前記積が「０」から遠ざかるほど異常の程度が高いものと判定できるため、適切な閾値を決めて該閾値を上まわる場合に異常と判定するようにすれば良い。
【００３８】
而して、このようにすれば、排気ガス８の再循環量を直接検出できるような特別なセンサを新たに追加しなくても、既に現状のエンジン制御に用いられている各種情報に基づいて実ＥＧＲ率と目標ＥＧＲ率との偏差の絶対値を求めることにより、目標ＥＧＲ率に対し実ＥＧＲ率が乖離している度合を把握することが可能となる（図３参照）。即ち、目標ＥＧＲ率に対し実ＥＧＲ率が大きく乖離していれば、ＥＧＲクーラ１３の熱交換用のチューブに詰まりが生じる等して、意図した量の排気ガス８の再循環が実施できなくなっているものと判断することが可能となる。
【００３９】
ただし、高地等の空気密度の低い環境下でエンジン１を使用するにあたっては、良好な燃焼を確保するのに必要な新気が量的に不足（質量から見た新気の充填効率が低下）する虞れがあることから、必要な量の新気を確保し得るよう高度（高度計等により実測）に応じて目標ＥＧＲ率を下げる措置が採られるため、ＥＧＲクーラ１３の熱交換用のチューブに詰まりが生じる等して低下した異常時の実ＥＧＲ率に対し、高度に応じて下げた目標ＥＧＲ率が近づく結果、実ＥＧＲ率と目標ＥＧＲ率との偏差の絶対値が正常時と異常時とで顕著な差となって現れ難くなり、排気ガス８の再循環量が正常であるか異常であるかの判別が難しくなる。
【００４０】
そこで、ＥＧＲバルブ１２の開度のフィードバック補正量を該フィードバック補正量の上限値で除算して得た商をゲインとして前記偏差の絶対値に乗算するようにすれば、その積が正常時と異常時とで顕著な差となって現れる新たな指標として得られ、排気ガス８の再循環量が正常であるか異常であるかの判別が容易化されることになる。
【００４１】
即ち、ＥＧＲバルブ１２の開度のフィードバック補正量を該フィードバック補正量の上限値で除算して得た商は、フィードバック制御をかけている度合を表す値となり、正常時にはフィードバック制御をかける必要がないことから前記商が「０」に近い値となる一方、異常の程度が著しい時にはフィードバック制御を上限近くまでかける必要があることから前記商が「１」に近い値となる（図３参照）。
【００４２】
依って、前記商を無次元化されたゲインとして前記偏差の絶対値に乗算すると、正常である場合に、その積が略「０」に収斂することになるのに対し、異常の程度が高い場合には、実ＥＧＲ率と目標ＥＧＲ率との偏差の絶対値と大きく変わらない値の積となるため、排気ガス８の再循環量が正常であるか異常であるかの判別が行い易くなる（図３参照）。
【００４３】
従って、上記形態例によれば、排気ガス８の再循環量を直接検出できるような特別なセンサを新たに追加することなく、既に現状のエンジン制御に用いられている各種情報に基づいて実ＥＧＲ率と目標ＥＧＲ率との偏差の絶対値を求め、ＥＧＲバルブ１２の開度のフィードバック補正量を該フィードバック補正量の上限値で除算して得た商をゲインとして前記偏差の絶対値に乗算することにより、その積を正常時と異常時とで顕著な差となって現れる新たな指標として得ることができ、これにより排気ガス８の再循環量が正常であるか異常であるかの判別を確実に行うことができる。
【００４４】
尚、本発明の排気ガス再循環量の異常検出方法及び装置は、上述の形態例にのみ限定されるものではなく、ＥＧＲクーラの熱交換用のチューブに詰まりが生じる等して、意図した量の排気ガスの再循環が実施できなくなっている状況を例示して説明しているが、タービンのノズル開度を調整可能な可変ノズルターボをターボチャージャとして採用したエンジンにおいて、タービンのノズル開度が絞りすぎた状態で固着してしまう等して排気ガスの再循環量が過剰になっている異常についても検出し得ること、その他、本発明の要旨を逸脱しない範囲内において種々変更を加え得ることは勿論である。
【符号の説明】
【００４５】
１  エンジン
３  吸気
４  吸気管
６  吸気マニホールド
７  気筒
８  排気ガス
１２  ＥＧＲバルブ
１４  温度センサ
１４ａ  検出信号
１５  圧力センサ
１５ａ  検出信号
１６  吸気センサ
１６ａ  検出信号
１７  回転センサ
１７ａ  検出信号
１８  制御装置
１９  アクセルセンサ（負荷センサ）
１９ａ  検出信号
【図１】
0005902408.tif 000002
【図２】
0005902408.tif 000003
【図３】
0005902408.tif 000004